(57)【要約】【課題】従来の多芯コネクタのコンタクト接触部におけるグリッド状の配列は接触部の断面を大きくし、直列方向の配列は長手方向を長くするという問題があった。【解決手段】本発明のコネクタは、レセプタクルコネクタ（２）に柱状のプラグコネクタ（１）を挿入し、柱状のプラグコネクタを回転することによりレセプタクルコネクタおよびプラグコネクタの対応する複数のコンタクト（１−２，２−３−１−１）を接触させるコネクタであって、プラグコネクタの柱状部の断面を多角形とし、多角形の角部分（１−１−１）にそれぞれプラグコンタクトを配列し、適合されるレセプタクルコンタクトが多角形の角部分に対応するようにプラグコネクタの挿入方向に対して放射状に配置されており、プラグコネクタをレセプタクルコネクタに挿入後に所定の角度回転することにより、プラグコンタクトを対応するレセプタクルコンタクトに接触させる接続構造を有する。【選択図】      図１
2014207082.tif 000002
【特許請求の範囲】
【請求項１】
レセプタクルコネクタの第１の面における複数のコンタクトと、柱状のプラグコネクタの前記第１の面における対応する複数のコンタクトとを、該柱状のプラグコネクタを該レセプタクルコネクタに挿入し、該柱状のプラグコネクタを回転することにより、接触させるようにするロータリー接触多芯コネクタであって、
前記第１の面は挿入の方向に垂直であり、
該レセプタクルおよび柱状のプラグコネクタの双方は挿入の該方向に並列する複数のコンタクトを有し、
該柱状のプラグコネクタの少なくとも一部は多角形の断面を有し、
前記第１の面のプラグコンタクトはそれぞれ該多角形の角部分に配置され、
適合されるレセプタクルコンタクトは該プラグコネクタの挿入方向の軸に関して放射状に配置され、そして
該プラグコネクタを該レセプタクルコネクタに挿入し、そしてその後該プラグコネクタを所定の角度回転することにより、該プラグコンタクトは対応するレセプタクルコンタクトと接触状態になるコネクタ。
【請求項２】
プラグコネクタの該角部分において該プラグコンタクトが配置される多角形の接続構造は、該プラグコネクタの長さ方向に該プラグコンタクトが積層される積層構造を有し、適合される該レセプタクルコネクタもまたコンタクトの積層構造を有し、これにより該積層されたコンタクトは該プラグコネクタを該レセプタクルコネクタへ挿入しその該プラグコネクタを所定の角度回転することにより同時に接触状態になる請求項１記載のコネクタ。
【請求項３】
該多角形は正方形である請求項１又２に記載のコネクタ。
【請求項４】
該柱状部はインシュレータで形成された多角形の支持部材を有する請求項１乃至３のいずれか１に記載のコネクタ。
【請求項５】
該レセプタクルコネクタは複数の同一のハウジング部分の形状で形成される請求項１乃至４のいずれか１に記載のコネクタ。
【請求項６】
該レセプタクルコネクタコンタクトは印刷回路基板に取り付けられ、この印刷回路基板は前記ハウジング部分の１つに固定される請求項５記載のコネクタ。
【請求項７】
該プラグコネクタは複数の同一のハウジング部分の形状で形成される請求項１記載のコネクタ。
【発明の詳細な説明】
【技術分野】
【０００１】
高機能電子機器においては、送受信すべき信号が多様化しそして複雑化している。本発明は、超音波診断装置のような医療機器、半導体製造装置や同検査装置、コンピュータ、通信機器など、多数の入出力配線を有する産業機器や計測機器等の接続に使用可能なロータリー接触多芯コネクタに関する。
【０００２】
詳しくは複数配線を有するケーブル等を介して接続される電子機器間の相互接続に使用されるコネクタであって、プラグ部分およびリセプタクル部分を有する多芯コネクタに関するものである。
【背景技術】
【０００３】
従来の多芯コネクタにおいては、接続時の操作力を少なくさせるために、ＺＩＦ(zero insertion force)構造を持つコネクタが使用されている。例えば図１７、図１８に示すように、このコネクタ３−１，４−１は、プラグコネクタ３−２、４−２およびレセプタクルコネクタ３−３，４−３のそれぞれ対応する多数のコンタクト３−４、３−５、または４−４、４−５の配列をグリッド状に（図１７）、または直列方向（図１８）に配列し、カム等による倍力機構（図示せず）を設け、カム等を操作させてプラグコネクタ及びレセプタクルコネクタのコンタクトを接続させる構造としていた。図１７に示すようにグリッド上のコンタクト配列では、嵌合面に対してのコネクタのサイズが大きくなる。また図１８に示すように直列にコンタクトを配置した場合は、長手方向にコネクタが長くなるという問題があった。又ＺＩＦ構造のための、カム等の倍力機構も複雑でこの機構の占有面積もコネクタを大きくさせていた。
【０００４】
例えば手術用の超音波診断装置に使用される場合、医療用カテーテルのプローブは身体に入るので測定器具においても断面積を小さくする必要がある。そしてプラグの径は小さくすると共に多芯化が要求されている。本発明は、断面積を小さくしても、多数の配線を接続可能な多芯コネクタを形成可能にするものである。
【先行技術文献】
【特許文献】
【０００５】
【特許文献１】特開２００４−３１２３５号公報
【特許文献２】特開２００７−１３４２２７号公報
【発明の概要】
【発明が解決しようとする課題】
【０００６】
プラグコネクタをレセプタクルコネクタに嵌合して多数のコンタクトを接続して使用する従来の多芯コネクタは、コンタクト接触部における複数コンタクトのグリッド状の配列が接触部の断面を大きくするという問題があり、直列方向の配列は長手方向を長くするという問題があった。コネクタの断面積を小さくしても、多数の配線を接続可能とする多芯コネクタが要求されていた。
【課題を解決するための手段】
【０００７】
上記要求は、例えば一実施例として、以下に記載のコネクタにより達成可能である。
【０００８】
レセプタクルコネクタの第１の面における複数のコンタクトと、柱状のプラグコネクタの上記第１の面における対応する複数のコンタクトとを、柱状のプラグコネクタをレセプタクルコネクタに挿入し、柱状のプラグコネクタを回転することにより、接触させるようにするロータリー接触多芯コネクタであって、
上記第１の面は挿入の方向に垂直であり、
レセプタクルおよび柱状のプラグコネクタの双方は挿入の方向に並列する複数のコンタクトを有し、
柱状のプラグコネクタの少なくとも一部は多角形の断面を有し、
上記第１の面のプラグコンタクトはそれぞれ多角形の角部分に配置され、
適合されるレセプタクルコンタクトはプラグコネクタの挿入方向の軸に関して放射状に配置され、そして
プラグコネクタをレセプタクルコネクタに挿入し、そしてその後プラグコネクタを所定の角度回転することにより、プラグコンタクトは対応するレセプタクルコンタクトと接触状態になるコネクタ。
【０００９】
さらに、プラグコネクタの角部分においてプラグコンタクトが配置される多角形の接続構造は、プラグコネクタの長さ方向にプラグコンタクトが積層される積層構造を有し、適合されるレセプタクルコネクタもまたコンタクトの積層構造を有し、これにより積層されたコンタクトはプラグコネクタをレセプタクルコネクタへ挿入しそのプラグコネクタを所定の角度回転することにより同時に接触状態になるコネクタ。
【００１０】
さらに、多角形は正方形であるコネクタ。
【００１１】
さらに、柱状部はインシュレータで形成された多角形の支持部材を有するコネクタ。
【００１２】
さらにレセプタクルコネクタは複数の同一のハウジング部分の形状で形成されるコネクタ。
【００１３】
さらにレセプタクルコネクタコンタクトは印刷回路基板に取り付けられ、この印刷回路基板は上記ハウジング部分の１つに固定されるコネクタ。
【００１４】
プラグコネクタは複数の同一のハウジング部分の形状で形成されるコネクタ。
【図面の簡単な説明】
【００１５】
【図１】多芯コネクタとして組み合わせて使用される、本発明に係るプラグコネクタ１およびレセプタクルコネクタ２の実施例を示す図である。接続部の断面が正方形の場合である。
【図２】図１のプラグコネクタ１の全体図である。
【図３】図１のレセプタクルコネクタ２の全体図である。
【図４】図１のプラグコネクタ１の分解図を示す。
【図５】プラグコネクタ１の接触部の断面を示す図である。
【図６】図１のレセプタクルコネクタ２の分解図を示す。
【図７】図６のレセプタクルコネクタ２を構成するコンタクトモジュールアッセンブリ２−３を示す図である。
【図８】図７のコンタクトモジュールの１つの分解説明図である。
【図９】図６レセプタクルコネクタ２の接触部の断面図である。
【図１０】レセプタクルコネクタ２にプラグコネクタ１が挿入された状態における接触部の断面図である。
【図１１】挿入されたプラグコネクタ１がレセプタクルコネクタ２内で挿入方向に垂直な面において回転した状態での接触部の断面図である。
【図１２】レセプタクルコネクタ２にプラグコネクタ１が挿入された状態での縦方向の断面図である。
【図１３】スロットノブ２−４が回転された後、ロックボタン２−５がハウジングシェルのロック溝２−１−１に入り、スロットノブ２−４の回転がロックされた状態を示す。
【図１４】仮ロック溝２−１−２にロックボタン２−５が入り、仮ロック状態になった場合を示す。
【図１５】コンタクトモジュールアッセンブリ２−３に実装された検出スイッチ２−３−１−７とスロットノブ２−４の検出突起部２−４−３によって検出スイッチ２−３−１−７がＯＮ状態になった状態を示す。
【図１６】コンタクトモジュールアッセンブリ２−３の接続用基板２−３−１−４に実装されたＬＥＤ２−３−１−６を示す。
【図１７】従来技術のコンタクトのグリッド状の配置例を示す図である。
【図１８】従来技術のコンタクトの直列の配置例を示す図である。
【発明を実施するための形態】
【００１６】
［実施例］
図１に本発明の１実例に係るプラグコネクタ１とレセプタクルコネクタ２を示す。長手方向に積層するようにプラグコンタクト１−２が形成された積層構造を有する柱状のプラグコネクタ１がレセプタクルコネクタ２に挿入される前の状態を示す。レセプタクルコネクタ２の挿入口２−４−４から柱状のプラグコネクタ１を挿入し、複数の対応するコンタクト同士を接触させる。なお、１−５は嵌合時におけるプラグコネクタ１の防水用のＯリング、２−１３はレセプタクルコネクタ２の防水用キャップである。接触部の断面の形状を正方形とし、正方形の四隅の角部分（Ｒ部）１−１−１においてコンタクト同士を接触させた構造の事例である。即ち、この事例ではレセプタクルコネクタ２および柱状のプラグコネクタ１の双方は挿入の該方向に並列する複数のコンタクトを有する。
【００１７】
図２に多数のコンタクトを有するプラグコネクタ１の全体図を示す。プラグコネクタ１は複数の同一のハウジング部分の形状で形成することができる。コンタクト等の支持部材として上下に並列して配置するように互いに組み合わされたインシュレータＡ１−１（上側）およびインシュレータＢ１−１’（下側）の周囲に複数のプラグコンタクト１−２がインシュレータを取囲むように、そしてプラグコネクタ１の長手方向に積層するように、配置されている。
【００１８】
支持部材として組み合わされたインシュレータＡ１−１およびインシュレータＢ１−１’は、概略四角柱に形成されている。この実施例の柱状部の断面は概略正方形である。正方形の四隅に角部分１−１−１が形成される。この角部分レセプタクルコネクタ２のコンタクト２−３−１−１と接触する。この事例ではそれぞれ４組のコンタクトが正方形断面の角部分において、挿入方向に対して垂直な面において放射状に配置され、さらに積層されている。プラグコネクタ１は挿入方向に並列する複数のコンタクト１−２を有する。
【００１９】
図２において、インシュレータＡ１−１の上面にはキー溝部１−１−２，１−１−３，１−１−４が形成されている。キー溝部１−１−２，１−１−３はレセプタクルコネクタ２のインシュレータ２−３−１−３に設けたキー突起部２−３−１−３−１と係合する。また、キー溝部１−１−４はスロットノブ２−４内に形成されたキー突起２−４−２と係合する。
【００２０】
図３にレセプタクルコネクタ２の全体図を示す。ハウジングシェル２−１の前面に図２に示したプラグコネクタ１のコンタクト接触操作のためのスロットノブ２−４が取り付けられている。中央の円形開口部はプラグコネクタ１を挿入するための挿入口２−４−４である。スロットノブ２−４の中央開口部内の上下部分に配置されているキー突起２−４−２は、プラグコネクタ１のキー溝１−１−４と組み合わされて、挿入後のプラグコネクタ１がスロットノブ２−４の回転と共同して回転するように作用する。レセプタクルコネクタ２は挿入方向に並列する複数のレセプタクルコンタクト２−３−１−１を有する。
【００２１】
２−１−１はハウジングシェル２−１に形成されたロック溝である。プラグコネクタ１およびスロットノブ２−４が所定の回転をし、コネクタが使用可能となった場合に、プラグコネクタ１およびスロットノブ２−４の回転を防止するために使用される。回転防止のため、スロットノブ２−４に形成された上方向に付勢されているロックボタン２−５を受け入れ係合する。２−１３はレセプタクルコネクタ２の防水用キャップである。２−３−１−３はレセプタクルコネクタ２を構成するインシュレータである。
【００２２】
図４に、プラグコネクタ１の分解図を示す。複数のプラグコンタクト１−２を保持するためのインシュレータＡ１−１およびインシュレータＢ１−１’、複数のプラグコンタクト１−２、ケーブルブッシング１−３、コネクタ保護のためのアースを取るためのケーブルクランプ１−４、嵌合時の防水の用のＯリング１−５等を含む。なお、インシュレータＡおよびＢはキー溝部１−１−２の断面形状が相違するように構成するのが良い。
【００２３】
プラグコネクタ１の組立について説明する。プラグコンタクト１−２が圧入されたインシュレータＡ１−１およびインシュレータＢ１−１’の各コンタクトに、それぞれケーブルの芯線（図示せず）がコネクタ１−２の内部で接続される。それぞれ結線されたインシュレータアセンブリＡ１−１−５およびインシュレータアセンブリＢ１−１’−５、ケーブルと一体形成されたブッシング１−３、ケーブルクランプ１−４を組み込み、最後にインシュレータ内部に防水を兼ねた接着剤を注入して組み立てる。
【００２４】
図５にプラグコネクタ１の接触部の断面（電線結線状態は省略）を示す。
【００２５】
図４のインシュレータＡ１−１およびインシュレータＢ１−１’を上下に組み合わせた構造の断面図である。電気的接続部が形成され組み合わされたインシュレータＡ１−１およびインシュレータＢ１−１’は略四角形の断面を有し、四隅に角部分１−１−１を形成する。角部分１−１−１は接点部として作用しレセプタクルコネクタの接触部と回転しつつ接触させるため湾曲した形状とするのが望ましい。この事例においてはプラグコネクタ１の接触部の断面は略四角形であるが、四角形に変えて例えば三角形または５角形等の多角形であっても良い。
【００２６】
略Ｕ字状に成形された複数のプラグコンタクト１−２は、インシュレータＡ１−１またはインシュレータＢ１−１’の角部分の孔部１−１−６に圧入され、溝部１−１−７内にそれぞれ組みこまれている。プラグコンタクト１−２には、インシュレータ１−１および１−１’の組み合わせ構造の１つの角部分において、レセプタクルコネクタの接触部と接触する四隅接点部１−２−１が形成される。またプラグコンタクト１−２の一方の端部には多芯ケーブルの芯線（図示せず）と接続する接続部１−２−２が形成される。
【００２７】
１−１−２はキー溝部であり、プラグコネクタ１の挿入時にレセプタクルコネクタのインシュレータ２−３−１−３の表面に形成されたキー突起２−３−１−３−１と組み合わされガイドされる。
【００２８】
図６はレセプタクルコネクタ２の分解図の事例である。この事例においては、例えば金属製のハウジングシェル２−１、ハウジングシェルカバー２−２、コンタクトモジュール アッセンブリ２−３、スロットノブ２−４、防水用Ｏリング２−１５、ＬＥＤ照射光透過用樹脂２−４−１、スロットノブ２−４の回転をロックするロックボタン２−５、ロックボタン２−５を垂直上向に付勢するスプリング２−６、ハウジングシェル用パッキン２−７、ハウジングシェル用ネジ２−８（４個）、ケーブルクランプ２−９（２個）、ケーブルクランプ用ネジ２−１０（２個）、ケーブルクランプ用ナット２−１１(２個）、ケーブルブッシング２−１２、防水用キャップ２−１３、キャップ用スプリングピン２−１４を含む。
【００２９】
上記レセプタクルコネクタ２の組立について説明する。ロックボタン２−５とスプリング２−６をスロットノブ２−４に組み込んだ後に、スロットノブ２−４をハウジングシェル２−１の内側から挿入する。ケーブルと一体成型されたブッシング２−１２をハウジングシェルカバー２−２に挿入し、ケーブルのシールド部分をケーブルクランプ２−９で挟み、ケーブルクランプ用ネジ２−１０とケーブルクランプ用ナット２−１１で締め付け、ケーブルを固定する。
【００３０】
レセプタクル側ケーブルにあらかじめ接続された４つの細線同軸コネクタをコンタクトモジュールアッセンブリ２−３のそれぞれのコネクタ２−３−１−５に接続する。ケーブル接続されたコンタクトモジュールアッセンブリ２−３をハウジングシェル２−１に挿入してハウジングシェルカバー２−２で挟み込んでハウジングシェル用ネジ２−８で締め付ける。
【００３１】
防水用キャップ２−１３はハウジングシェル２−１の軸受け部に組み込み、キャップ用スプリングピン２−１４を挿入して固定する。
【００３２】
図７にレセプタクルコネクタ２の内部に配置されるコンタクトモジュールアッセンブリ２−３の実例を示す。図７のレセプタクルコネクタは複数の同一形状のコンタクトモジュールからなるハウジング部分により形成されている。図７はコンタクトや基板等が組み込まれたコンタクトモジュール(２−３−１，２−３−２，２−３−３，２−３−４)４個を組み合わせた状態を示す。４個のモジュールを組み合わせた後にモジュール用ネジ２−３−５で固定される。
【００３３】
図８はレセプタクルコネクタ２のコンタクトモジュールアッセンブリ２−３の４個のモジュールのうちの１つ２−３−１の分解説明図である。対応するプラグコンタクト１−２に適合するように積層された積層構造を有するレセプタクルコンタクト２−３−１−１はインサートモールド２−３−１−２と同時成形されている。前記レセプタクルコンタクト２−３−１−１がインサートされたインサートモールド２−３−１−２はインシュレータ２−３−１−３に圧入固定される。なお、この圧入固定された状態ではレセプタクルコンタクト２−３−１−１の先端部２−３−１−１−１はインシュレータ２−３−１−３の下部先端部２−３−１−３−２に一定保持荷重をかけて係合されている為にプラグコンタクト１−２に接触させた時に少ない移動量で大きな圧力で接触させることが可能になる。先端部２−３−１−１−１におけるプラグコンタクト１−２との接触部は凸部２−３−１−１−２の形状を有するようにするのが好ましい。
【００３４】
細線同軸コネクタ２−３−１−５、インジケータ用ＬＥＤ２−３−１−６、検出スイッチ２−３−１−７（１モジュールのみに搭載する。）等が搭載された接続用基板、即ち印刷回路基板２−３−１−４をレセプタクルコンタクト２−３−１−１の上部基板接続部２−３−１−８に半田接続させる。
【００３５】
図９はレセプタクルコネクタ２の接触部の断面図である。レセプタクルコネクタ２のハウジングシェル２−１内に４組のコンタクトモジュール２−３−１，２−３−２，２−３−３、および２−３−４が配置されている。コンタクト２−３−１−１の一端はインサートモールド２−３−１−２に固定されており接続用基板２−３−１−４の配線に半田接続される。
【００３６】
レセプタクルコネクタの、挿入方向に対して垂直な１つの面における複数のコンタクトと、柱状のプラグコネクタの上記１つの面における対応する複数のコンタクトとを、柱状のプラグコネクタをレセプタクルコネクタに挿入し、柱状のプラグを回転することにより、接触させる。
【００３７】
図１０はレセプタクルコネクタ２にプラグコネクタ１が挿入された状態であって、スロットノブを回転させる前における接触部の断面図である。即ち、図１０はプラグコネクタ１の回転前の図である。この状態ではプラグコネクタ１のコンタクト１−２とレセプタクルのコンタクト２−３−１−１は接触していない。
【００３８】
図１１はプラグコネクタ１がレセプタクルコネクタ２に挿入された後に時計回りに例えば５０度回転された状態の接触部の断面図である。プラグコネクタの断面が正方形の場合、５０度程度の回転で接触するように構成するのが適切である。この状態でプラグコネクタのコンタクト１−２とレセプタクルのコンタクト２−３−１−１はプラグコネクタの角部分１−１−１において接触する。
【００３９】
図１２はレセプタクルコネクタ２にプラグコネクタ１が挿入された状態（プラグコネクタ１を回転させる前）の縦断面である。レセプタクルコネクタ２のコンタクトモジュール２−３には積層するように形成されたコンタクト２−３−１−１が等ピッチで配置されている。プラグコネクタ１が図１２に示すように所定の位置まで挿入されると、レセプタクルコネクタ２のコンタクト２−３−１−１とプラグコネクタ１の対応する積層されたそれぞれのプラグコンタクト１−２の位置が一致する。
【００４０】
この状態において、プラグコネクタ１とレセプタクルコネクタ２のスロットノブ２−４はレセプタクルコネクタ２に対して回転可能状態になる。ロックボタン２−５はスプリング２−６によって垂直方向に付勢されており、この状態ではロックボタン２−５により仮ロック状態になっている（図１４参照）。
【００４１】
尚、レセプタクルコネクタ２のスロットノブ２−４には防水用Ｏリング２−１５が組み込まれている。又プラグコネクタ１の防水用Ｏリング１−５は嵌合状態でプラグコネクタ１を防水としている。
【００４２】
レセプタクルコネクタ２のスロットノブ２−４にはＬＥＤ照射光透過用樹脂２−４−１が２色成形されており、図８に示す接続用基板２−３−１−４に実装されたインジケーター用ＬＥＤ２−３−１−６の光をスロットノブ２−４の表面まで円環状に透過させている。
【００４３】
図１３は、レセプタクルコネクタ２にプラグコネクタ１が挿入された後にスロットノブ２−４と共に時計回りに回転し、スロットノブ２−４に内蔵されたロックボタン２−５がハウジングシェル２−１のロック溝２−１−１に入りロックされた状態を示す。
【００４４】
図１４はレセプタクルコネクタ２のスロットノブ２−４に内蔵されたロックボタン２−５を押してロックを解除した後、プラグコネクタ１とスロットノブ２−４を反時計回りに回転させハウジングシェル２−１の仮ロック溝２−１−２にロックボタン２−５が入り仮ロック状態になった状態を示す。
【００４５】
図１５はレセプタクルコネクタ２にプラグコネクタ１が挿入された後にスロットノブ２−４と共に時計回りに回転しロック状態になった時の状態を示す。レセプタクルコネクタ２内の接続用基板２−３−１−４に実装された検出スイッチ２−３−１−７がスロットノブ２−４の検出突起部２−４−３によって押されＯＮ状態になる。なおハウジングシェルは説明のために未表示状態で示した。
【００４６】
図１６にインジケータ用ＬＥＤ２−３−１−６の実装例を示す。この事例ではＬＥＤ２−３−１−６はレセプタクルコネクタ２のコンタクトモジュールアッセンブリ２−３の接続用基板２−３−１−４に実装される。ＬＥＤ２−３−１−６の照射光２−３−１−９はスロットノブ２−４の２色成形されたＬＥＤ照射光透過用樹脂２−４−１によってスロットノブ２−４の前面２−４−５に光を透過させる。
【００４７】
[動作概要]
上で説明したコネクタの動作概要を説明する。
【００４８】
（１）プラグコネクタ１をレセプタクルコネクタ２のスロットノブ２−４前面の挿入口２−４−４より挿入する。プラグコネクタ１とレセプタクルコネクタ２の軸方向の位置合わせは、レセプタクルインシュレータ２−３−１−３及び挿入スロットノブ２−４の円形の内面部に、プラグコネクタ１のインシュレータＡ１−１およびインシュレータＢ１−１’を組み合わせた正方形の四隅角部分１−１−１が位置決めされて挿入される。尚、回転方向の極性はレセプタクルコネクタ２の挿入スロットノブ２−４の円形内面に設けたキー突起２−４−２ (図１６参照)及び、レセプタクルコネクタ２のインシュレータ２−３−１−３の表面に設けたキー突起２−３−１−３−１(図７参照)によりガイドされる。即ちプラグコネクタ１のインシュレータＡ１−１およびインシュレータＢ１−１’のキー溝部１−１−２ (図２参照)が挿入された場合、プラグコネクタ１は所定の配置で回転不可能な状態で挿入される。プラグコネクタ１はレセプタクルコネクタ２に対して回転不可能な状態で挿入される為にレセプタクルコネクタ２の内部に露出しているレセプタクルコンタクト２−３−１−１にプラグコネクタ１は接触することなく挿入される。
【００４９】
（２）プラグコネクタ１が最終位置まで挿入されると、レセプタクルコネクタ２のインシュレータ２−３−１−３に設けたキー突起２−３−１−３−１は、プラグコネクタ１のインシュレータＡ１−１およびインシュレータＢ１−１’において、キー溝部１−１−２から円周方向に延在し、プラグコネクタ１を回転可能にするキー溝部１−１−３に回転可能な状態で係合さる。このため、プラグコネクタ１は一方向（時計回り）に回転可能な状態となる。プラグコネクタ１の回転はスロットノブ２−４を回転することにより行われることができる。
【００５０】
即ちこの状態において、レセプタクルコネクタ１のスロットノブ２ー４の開口部に設けたキー突起２−４−２（図１６参照）が、プラグインシュレータＡ１−１およびプラグインシュレータＢ１−１’にそれぞれ形成されたキー溝部１−１−２の端部の溝１−１−４に係合される。このためプラグコネクタ１はレセプタクルコネクタ２のスロットノブ２−４の回転と同期して回転することとなる。
【００５１】
図１０に示す挿入状態から、スロットノブ２−４の回転に同期してプラグコネクタ１が時計回りに回転し始める。プラグコネクタ１はレセプタクルコネクタ２のインシュレータ２−３−１−３のキー突起２−３−１−３−１がプラグコネクタ１のインシュレータＡ１−１およびインシュレータＢ１−１’の回転可能キー溝部１−１−３に対して円周方向に回転するように移動して係合される。そしてプラグコネクタ１はレセプタクルコネクタ２から引抜不可能な状態となる。
【００５２】
（３）プラグコネクタ１をレセプタクルコネクタ２のスロットノブ２−４により時計回りに回転させと、図５に示すプラグコネクタ１のコンタクト１−２の４隅の接点部１−２−１が、図１０および図１１に示すレセプタクルコンタクト２−３−１−１の先端部２−３−１−１−１を押圧する、このため図１１に示すようにレセプタクルコンタクト２−３−１−１およびプラグコンタクト１−２が電気接続状態となる。コンタクト同士を４隅で接触させるので力が均等に配分され、４隅のそれぞれにおいて安定した接触が得られる。
【００５３】
（４）プラグコネクタ１をレセプタクルコネクタ２のスロットノブ２−４と共に所定の角度（例えば５０度）まで回転させると、図１２に示すスロットノブ２−４に組み込まれ外周方向に負勢されているスプリング２−６を内蔵したロックボタン２−５が上昇する。そして、図１３に示すようにレセプタクルコネクタ２のハウジングシェル２−１のロック溝２−１−１に係合する。このためスロットノブ２−４は回転不可能状態にロックされる。
【００５４】
（５）プラグコネクタ１とレセプタクルコネクタ２の嵌合を解除する場合は、レセプタクルコネクタ２のスロットノブ２−４のロックボタン２−５を下方に押し下げてロックボタン２−５によるロック解除させる。その後スロットノブ２−４とプラグコネクタ１をロック時とは逆方向に半時計回りに回転させる。このようにしてプラグコネクタ１とレセプタクルコネクタ２のコンタクト接触は解除される。
【００５５】
さらにスロットノブ２−４を初期の回転角まで回転させると、レセプタクルコネクタ２のインシュレータ２−３−１−３に設けたキー突起２−３−１−３−１が、プラグコネクタ１のインシュレータＡ１−１およびインシュレータＢ１−１’の回転可能キー溝部１−１−３から係合解除される。この状態においてインシュレータＡ１−１およびインシュレータＢ１−１’のキー溝部１−１−２の角度がキー突起２−４−２の位置と一致してプラグコネクタ１は引抜き可能状態となる。
【００５６】
この状態では、図１４に示すように、前記スロットノブ２−４のロックボタン２−５は、ハウジングシェル２−１に形成された深さの浅い仮ロック溝２−１−２に入り、仮ロック状態となる。仮ロック状態では、一定のトルク印加以下状態ではスロットノブ２−４は回転不可能状態となる。
【００５７】
（６）図１５に示すように、本事例ではレセプタクルコネクタ２にプラグコネクタ１が挿入された後に、プラグコネクタ１がスロットノブ２−４と共に時計回りに回転し、ロック状態になった時、接続用基板２−３−１−４に実装された検出スイッチ２−３−１−７が、スロットノブ２−４の検出突起部２−４−３によって、ロックされる角度で検出スイッチ２−３−１−７をＯＮにする構造とした。
【００５８】
（７）図1６に示すように、本事例ではオプションとしてレセプタクルコネクタ２のコンタクトモジュールアッセンブリ２−３の接続用基板２−３−１−４に実装されたＬＥＤ２−３−１−６がスロットノブ２−４に２色成形されたＬＥＤ照射光透過用樹脂２−４−１によってスロットノブ２−４の前面に光を透過させる構造として通信中にイルミネーションで動作確認を可能にした。
【００５９】
以上本発明の実施の形態について説明した。しかし、本発明の技術的範囲を逸脱せずに、種々の変形が可能である。即ち、本願発明は、上記実施例に限定されるものではなく、実施段階ではその要旨を変形しない範囲で種々変形することが可能である。更に上記実施形態には種々の段階の発明が含まれており、開示される複数の構成要件における適宜な組み合わせにより種々な発明が抽出され得る。
【符号の説明】
【００６０】
1  ・・・  プラグコネクタ、
１−１  ・・・  インシュレータＡ、
１−１’  ・・・  インシュレータＢ、
１−１−１  ・・・  角部分、
１−１−２  ・・・  キー溝部、
１−１−３  ・・・  キー溝部、
１−１−４  ・・・  キー溝部、
１−１−５  ・・・  インシュレータアセンブリＡ、
１−１’−５  ・・・  インシュレータアセンブリＢ、
１−１−６  ・・・  孔部、
１−１−７  ・・・  溝部、
１−２  ・・・  プラグコンタクト、
１−２−１  ・・・  接点部、
１−２−２  ・・・  接続部、
１−３  ・・・  ケーブルブッシング、
１−４  ・・・  ケーブルクランプ、
１−５  ・・・  Ｏリング、
２  ・・・  レセプタクルコネクタ、
２−１  ・・・  ハウジングシェル、
２−１−１  ・・・  ロック溝、
２−１−２  ・・・  仮ロック溝、
２−１−３  ・・・  防水用キャップ、
２−２  ・・・  ハウジングシェルカバー、
２−３  ・・・  コンタクトモジュール アッセンブリ、
２−３−１  ・・・  コンタクトモジュール、
２−３−１−１  ・・・  レセプタクルコンタクト、
２−３−１−１−１  ・・・  先端部、
２−３−１−１−２  ・・・  凸部、
２−３−１−２  ・・・  インサートモールド、
２−３−１−３  ・・・  インシュレータ、
２−３−１−３−１  ・・・  キー突起部、
２−３−１−３−２  ・・・  下部先端部、
２−３−１−４  ・・・  接続用基板、
２−３−１−５  ・・・  細線同軸コネクタ、
２−３−１−６  ・・・  ＬＥＤ、
２−３−１−７  ・・・  検出スイッチ、
２−３−１−８  ・・・  基板接続部、
２−３−１−９  ・・・  照射光、
２−３−２  ・・・  コンタクトモジュール、
２−３−３  ・・・  コンタクトモジュール、
２−３−４  ・・・  コンタクトモジュール、
２−４  ・・・  スロットノブ、
２−４−１  ・・・  ＬＥＤ照射光透過用樹脂、
２−４−２  ・・・  キー突起、
２−４−３  ・・・  検出突起部、
２−４−４  ・・・  挿入口、
２−３−５  ・・・  モジュール用ネジ、
２−５  ・・・  ロックボタン、
２−６  ・・・  スプリング、
２−７  ・・・  ハウジングシェル用パッキン、
２−８  ・・・  ハウジングシェル用ネジ、
２−９  ・・・  ケーブルクランプ、
２−１０  ・・・  ケーブルクランプ用ネジ、
２−１１  ・・・  ケーブルクランプ用ナット、
２−１２  ・・・  ケーブルブッシング、
２−１３  ・・・  防水用キャップ、
２−１４  ・・・  キャップ用スプリングピン、
２−１５  ・・・  Ｏリング、
３−１  ・・・  コネクタ、
３−２  ・・・  プラグコネクタ、
３−３  ・・・  レセプタクルコネクタ、
３−４  ・・・  コンタクト、
３−５  ・・・  コンタクト、
４−１  ・・・  コネクタ、
４−２  ・・・  プラグコネクタ、
４−３  ・・・  レセプタクルコネクタ、
４−４  ・・・  コンタクト、
４−５  ・・・  コンタクト、
【図１】
2014207082.tif 000003
【図２】
2014207082.tif 000004
【図３】
2014207082.tif 000005
【図４】
2014207082.tif 000006
【図５】
2014207082.tif 000007
【図６】
2014207082.tif 000008
【図７】
2014207082.tif 000009
【図８】
2014207082.tif 000010
【図９】
2014207082.tif 000011
【図１０】
2014207082.tif 000012
【図１１】
2014207082.tif 000013
【図１２】
2014207082.tif 000014
【図１３】
2014207082.tif 000015
【図１４】
2014207082.tif 000016
【図１５】
2014207082.tif 000017
【図１６】
2014207082.tif 000018
【図１７】
2014207082.tif 000019
【図１８】
2014207082.tif 000020